(57)【特許請求の範囲】
【請求項１】
クリップ（３）基端を筒状部（４）外面に連設し、前記筒状部（４）内面とキャップ本体（２）外面とを複数の連結部（５）を介して接続し、前記筒状部（４）内面と前記キャップ本体（２）外面との間に空気流通孔（６）を設けた筆記具等のキャップ（１）であって、前記クリップ（３）と前記キャップ本体（２）とを合成樹脂の一体成形により設け、前記複数の連結部（５）の中で周方向に最も厚肉のリブ（５１）をクリップ（３）基端に位置させ、前記クリップ（３）基端の厚肉のリブ（５１）を、他の薄肉のリブ（５２）よりも長手方向に長く形成したことを特徴とする筆記具等のキャップ。
【請求項２】
クリップ（３）基端を筒状部（４）外面に連設し、前記筒状部（４）内面とキャップ本体（２）外面とを複数の連結部（５）を介して接続し、前記筒状部（４）内面と前記キャップ本体（２）外面との間に空気流通孔（６）を設けた筆記具等のキャップ（１）であって、前記クリップ（３）と前記キャップ本体（２）とを合成樹脂の一体成形により設け、前記複数の連結部（５）の中で周方向に最も厚肉のリブ（５１）をクリップ（３）基端に位置させ、キャップ本体（２）外面に、前記空気流通孔（６）が開口する環状凹部（７）を設けたことを特徴とする筆記具等のキャップ。
【発明の詳細な説明】
【０００１】
【発明の属する技術分野】
本発明は筆記具等のキャップ（例えば、マーキングペン、ボールペン、サインペン、万年筆、筆ペン等の筆記具、アイライナー等の化粧具、修正ペン等の塗布具等のキャップ）に関する。さらに詳細には、幼児等が誤って飲み込んだ場合でも窒息しないよう空気流通路を設けた筆記具等のキャップに関する。
【０００２】
【従来の技術】
従来、例えば、実公平７−１２０６２号公報には「キャップ本体と、このキャップ本体に装着されるクリップとを備えるとともに、上記キャップ本体の先端部に、その隣接部分よりも小さい断面形状をもつ小断面部を設け、上記クリップに、上記キャップ本体の小断面部に外側から嵌着される環状の取付部を設け、この取付部と上記小断面部との間に、その先端側の空間と尾端側において上記クリップの本体とキャップ本体との間に形成された空間とを連通する空気通路を形成したことを特徴とするキャップ」が開示されている。
【０００３】
ところが、前記公報のキャップは、キャップ本体にそれとは別体のクリップを取り付ける、二部材よりなる構造であるため、クリップ組付工程を必要とし、安価に提供するには限界がある。そこで、合成樹脂の一体成形によって、クリップとキャップ本体とを連結部等により一体に接続することが考えられるが、ただ単に一体に接続したのでは、キャップ外周面（即ち筒状部外周面）に連結部によって肉厚変動が生じヒケ（凹み）を発生させ、外観を損ねるおそれがある。また、前記ヒケの発生を抑えるためにリブの周方向の厚みを小さくすることも考えられるが、これでは、クリップの取り付け強度が不足し十分なクリップ挟持力が得られない。
【０００４】
【発明が解決しようとする課題】
本発明は、前記課題を解決するものであって、誤って飲み込んだとしても窒息事故を回避することは勿論、ヒケの発生を抑えて見栄えを損ねず、その上、十分なクリップの挟持機能を備える、安価なキャップを提供しようとするものである。
【０００５】
【課題を解決するための手段】
本発明は、クリップ３基端を筒状部４外面に連設し、前記筒状部４内面とキャップ本体２外面とを複数の連結部５を介して接続し、前記筒状部４内面と前記キャップ本体２外面との間に空気流通孔６を設けた筆記具等のキャップ１であって、前記クリップ３と前記キャップ本体２とを合成樹脂の一体成形により設け、前記複数の連結部５の中で周方向に最も厚肉のリブ５１を前記筒状部４のクリップ３基端に対応する箇所に設け、他の薄肉のリブ５２を前記筒状部４のクリップ３基端に対応しない箇所に設けたことを要件とする。
【０００６】
また、前記筆記具等のキャップ１において、前記クリップ３基端の厚肉のリブ５１を、他の薄肉のリブ５２よりも長手方向に長く形成することが好ましい。それにより、クリップ３の取付強度が向上し、クリップ３の十分な挟持性能を満足させる。
【０００７】
また、前記筆記具等のキャップ１において、キャップ本体２外面に、前記空気流通孔６が開口する環状凹部７を設ける構成が好ましい。それにより、空気流通孔６と、クリップ３内面とキャップ本体２外面との間の空気流通路８とを、確実に連通させることが可能となる。
【０００８】
【作用】
本発明・筆記具等のキャップ１は、筒状部４内面とキャップ本体２外面との間に空気流通孔６が形成され、さらに、クリップ３内面とキャップ本体２外面との間に、前記空気流通孔６に連通する空気流通路８が形成され、それにより、幼児等が誤って飲み込んだとしても、気道が確保され窒息事故を回避する。
【０００９】
また、本発明・筆記具等のキャップ１は、クリップ３とキャップ本体２とを合成時樹脂の一体成形により構成したことから、部品点数を減少させ、クリップ３組付工程を要さず、安価に提供することが可能である。
【００１０】
また、合成樹脂の一体成形の場合、クリップ３とキャップ本体２の連結部５が内周面に位置する筒状部４のその外周面にヒケ（凹み）が生じやすい。しかし、本発明は、複数の連結部５の中で最も厚肉のリブ５１を完全にクリップ３基端の対応する箇所に位置させると共に、他の薄肉のリブ５２を筒状部４のクリップ３基端に対応しない箇所に位置させている。それにより、前記厚肉のリブ５１を備えた筒状部４外周面では、突出するクリップ３基部の径方向の十分な肉厚によってヒケの発生が抑えられ、一方、内周面に薄肉のリブ５２が位置する筒状部４のその外周面では、薄肉であるためヒケの発生が抑えられる。
【００１１】
また、前記厚肉のリブ５１によって、クリップ３の使用時、大きな負荷のかかる箇所であるクリップ３基端とキャップ本体２外面とを、強固に連結できることから、クリップ３基端の十分な取付強度が得られ、クリップ３の挟持力を向上させる。
【００１２】
【発明の実施の形態】
本発明・筆記具等のキャップ１の実施の形態を図面に従って説明する。
【００１３】
図１は本発明の一実施例の縦断面図である。図２は図１の線Ａ−Ａに沿う断面図である。
【００１４】
キャップ１は、有底筒体のキャップ本体２と、内面に挟持用凸部を備えたクリップ３と、前記クリップ３の基端に連設された筒状部４と、前記キャップ本体２と前記筒状部４とを接続する連結部５とが、合成樹脂（例えば、ポリエチレン、ポリプロピレン、ポリエチレンテレフタレート、ポリカーボネート等）の射出成形により一体に形成される。
【００１５】
前記筒状部４は、キャップ本体２の底部近傍の外周面を包囲するよう配設される。また、前記筒状部４の外周面にはクリップ３基端が一体に連設される。さらに、前記筒状部４内周面と前記キャップ本体２外周面との間には、長手方向に延びる複数の連結部５（ここでは５本のリブ５１，５２）が周方向に等間隔で一体に配設されている。
【００１６】
前記連結部５は、クリップ３基端に位置する一本の厚肉のリブ５１と、クリップ３基端に位置しない他の４本の薄肉のリブ５２とからなる。前記筒状部４内周面の前記厚肉のリブ５１は、筒状部４外周面のクリップ３基端と、筒状部４を間に挟んで内外面の位置が一致している。前記厚肉のリブ５１は、クリップ３基端の中心方向直下に完全に配置しており、クリップ３の基端の周方向の肉厚より薄く、また、クリップ３基端の長手寸法より短く設定されている。
【００１７】
前記厚肉のリブ５１がクリップ３基端に位置しているため、筒状部４の厚肉のリブ５１の位置する外周面には十分な径方向の肉厚を有する。従って、クリップ３基部の径方向の十分な肉厚よって、厚肉のリブ５１とクリップ３表面との間で十分な距離が確保され、キャップ１外面（ここではクリップ３表面）での前記厚肉のリブ５１によるヒケは生じない。
【００１８】
また、前記薄肉のリブ５２は、筒状部４内周面のクリップ３基端に対応しない位置に一体に連設されている。前記薄肉のリブ５２は、筒状部４外周面及び内周面に肉厚変動によるヒケを生じさせない程度に薄い肉厚に設定されている。
【００１９】
即ち、クリップ３基端に位置する厚肉のリブ５１、及び他の薄肉のリブ５２により、キャップ１外面でのヒケの発生を回避することができ、見栄えを損ねるおそれがない。
【００２０】
また、クリップ３とキャップ本体２とを接続する複数の連結部５の中で、クリップ３使用時、最も大きな負荷のかかるクリップ３基端に、厚肉のリブ５１が設けられていることから、クリップ３基端の取付強度がさらに強固なものとなり、クリップ３の挟持力を長期間維持できる。
【００２１】
前記筒状部４内周面とキャップ本体２外周面との間には、前記連結部５により、複数の空気流通孔６が形成される。それにより、幼児等が誤って飲み込んだとしても、前記空気流通孔６、及びクリップ３内面とキャップ本体２外面との間の空気流通路８により、気道が確保され窒息させるおそれがない。
【００２２】
また、キャップ本体２外面には、環状凹部７が形成されている。前記環状凹部７は、空気流通孔６が開口しており、それにより、空気流通孔６と、クリップ３内面とキャップ本体２外面との間の空気流通路８とを連通させる。前記環状凹部７により、幼児が飲み込んだとしても、のど内壁で前記空気流通孔６を塞いでしまうことがなく、確実に気道を確保し、より一層、安全性を向上できる。
【００２３】
【発明の効果】
本発明・筆記具等のキャップは、請求項１の構成により、幼児等が誤って飲み込んだとしても窒息事故が回避できることは勿論、ヒケの発生を抑えて外観性を満足させると共に、十分なクリップの挟持機能を備える、安価なキャップとなる。また、請求項１の構成により、クリップの取付強度が向上し、クリップの十分な挟持性能を満足させる。
【００２４】
また、本発明・筆記具等のキャップは、請求項２の構成により、幼児等が誤って飲み込んだとしても窒息事故が回避できることは勿論、ヒケの発生を抑えて外観性を満足させると共に、十分なクリップの挟持機能を備える、安価なキャップとなる。また、請求項２の構成により、空気流通孔と、クリップ内面とキャップ本体外面との間の空気流通路とを、確実に連通させる。
【図面の簡単な説明】
【図１】図１は本発明の一実施例の縦断面図である。
【図２】図２は図１のＡ−Ａ線断面図である。
【符号の説明】
１  キャップ
２  キャップ本体
３  クリップ
４  筒状部
５  連結部
５１  厚肉のリブ
５２  薄肉のリブ
６  空気流通孔
７  環状凹部
８  空気流通路
【図１】
0003789601.tif 000002
【図２】
0003789601.tif 000003